(57)【要約】【課題】浮遊物の掻き寄せ効果を向上できるフライト及び該フライトを備える汚泥掻寄機を提供する。【解決手段】一対の無端チェーンが周回移動することにより、無端チェーンに備えられたフライト１０が、槽１の底１Ｂ及び槽１の水面１Ａに沿って周回移動し、槽１の底１Ｂに堆積した堆積物及び槽１の水面１Ａに浮遊した浮遊物を掻き寄せる汚泥掻寄機に適用されるフライト１０であって、フライト１０の前面と後面とを貫通する貫通孔１２を少なくとも一個以上備えることで、フライト１０が水面１Ａに沿って移動する際に、フライト１０の進行方向に対して生じる水流が、フライト１０に設けられた貫通孔１２を通り進行方向下流側へ抜けるように形成し、浮遊物をフライト１０の両側へ抜けることを防ぎ、槽１の側面とフライトの間に浮遊物が残ることを防ぐ。【選択図】図２
2014094347.tif 000002
【特許請求の範囲】
【請求項１】
槽内を周回移動する一対の無端チェーンに対して、周回方向に沿ってフライトが複数取り付けられ、前記一対の無端チェーンが周回移動することにより、前記フライトが、前記槽の底及び前記槽の水面に沿って周回移動し、前記槽の底に堆積した堆積物及び前記槽の水面に浮遊した浮遊物を掻き寄せる汚泥掻寄機に適用される前記フライトであって、
前記フライトの前面と後面とを貫通する貫通孔を少なくとも一個以上備えることを特徴とするフライト。
【請求項２】
前記貫通孔に対して、前記浮遊物の通過を遮断しつつ水を通過させる手段を有することを特徴とする請求項１に記載のフライト。
【請求項３】
前記水面に沿って移動する際に前記貫通孔を開放し、前記底に沿って移動する際に前記貫通孔を閉じる開閉機構が付設されることを特徴とする請求項１又は２に記載のフライト。
【請求項４】
請求項１から３の何れか一項に記載のフライトを備える汚泥掻寄機。
【請求項５】
前記フライトの前記貫通孔は、前記フライトが前記水面に沿って移動する際に、前記水面の下に位置することを特徴とする請求項４に記載の汚泥掻寄機。
【請求項６】
前記貫通孔を有する前記フライトと、前記貫通孔を有さない前記フライトとを、両方備えることを特徴とする請求項４又は５に記載の汚泥掻寄機。
【発明の詳細な説明】
【技術分野】
【０００１】
本発明はフライト及び汚泥掻寄機に関する。
【背景技術】
【０００２】
従来、以下の特許文献１に記載のいわゆる四軸タイプのチェーンフライト式の汚泥掻寄機は、沈殿池等の槽の幅方向に対向し槽内を周回移動する一対の無端チェーンに対して、周回方向に沿ってフライト（掻寄羽根）が複数掛け渡されて取り付けられ、一対の無端チェーンが周回移動しフライトが移動することにより、槽の底に堆積した汚泥等の堆積物を掻き寄せると共に、槽に形成される水面に浮遊した浮遊物（スカム）を掻き寄せるようになっている。
【先行技術文献】
【特許文献】
【０００３】
【特許文献１】特開２００７−１５２２８７号公報
【発明の概要】
【発明が解決しようとする課題】
【０００４】
ここで、一般的に、チェーンフライト式の汚泥掻寄機においては、駆動系の配置等により、フライトの幅が水面の幅より狭い寸法となっている。フライトが水面を移動すると、フライトの中央から、フライトの両側へ向かう水流が形成される。従って、フライトの移動により水面上の浮遊物を掻き寄せる際に、上記水流に乗って浮遊物がフライトの両側へ抜けてしまい槽側面とフライトの間に浮遊物が残ってしまう虞がある。よって、浮遊物をより効率良く掻き寄せることができる汚泥掻寄機が望まれている。
【０００５】
そこで、本発明は、浮遊物の掻き寄せ効果を向上できるフライト及び該フライトを備える汚泥掻寄機を提供することを目的とする。
【課題を解決するための手段】
【０００６】
すなわち、本発明に係るフライトは、槽内を周回移動する一対の無端チェーンに対して、周回方向に沿ってフライトが複数取り付けられ、一対の無端チェーンが周回移動することにより、フライトが、槽の底及び槽の水面に沿って周回移動し、槽の底に堆積した堆積物及び槽の水面に浮遊した浮遊物を掻き寄せる汚泥掻寄機に適用されるフライトであって、フライトの前面と後面とを貫通する貫通孔が少なくとも一個以上設けられることを特徴とする。
【０００７】
本発明のフライトによれば、フライトが水面に沿って移動する際に、フライトの進行方向に対して生じる水流は、フライトに設けられた貫通孔を通り進行方向下流側へ抜けるように形成される。このため、浮遊物がフライトの両側へ抜けることを防ぐことができ、浮遊物を効率よく掻き寄せることができる。
【０００８】
ここで、フライトは、貫通孔に対して浮遊物の通過を遮断しつつ水を通過させる手段を有していると、フライトが水面を移動する際に、当該手段により、浮遊物が、フライトに設けられた貫通孔を通り進行方向下流側へ抜けることを防ぐことができ、浮遊物をより一層効率よく掻き寄せることができる。
【０００９】
また、フライトは、水面に沿って移動する際に貫通孔を開放し、底に沿って移動する際に貫通孔を閉じる開閉機構が付設されていると、水面に沿って移動する場合に貫通孔が開放され、貫通孔を通る水流が形成されて、浮遊物がフライトの両側へ抜けることを防ぐことができ、一方、底に沿って移動する場合に貫通孔が閉じられ、汚泥が貫通孔を通り進行方向下流側へ抜けることを防ぐことができる。このため、浮遊物及び堆積物を効率よく掻き寄せることができる。
【００１０】
また、本発明は、上記フライトを備える汚泥掻寄機を提供できる。
【００１１】
ここで、汚泥掻寄機は、フライトの貫通孔が、フライトが水面に沿って移動する際に、水面の下に位置していると、フライトが水面を移動する際に、フライトの進行方向に対して生じる水流は、フライトの水面より下に位置する貫通孔を通り進行方向下流側へ抜け、浮遊物は、フライトの貫通孔より上の部分に遮られ、フライトの両側へ抜けることを防ぐことができる。よって、浮遊物をより効率良く掻き寄せることができる。
【００１２】
また、汚泥掻寄機は、貫通孔を有するフライトと、貫通孔を有さないフライトとを、両方備えていると、貫通孔を有さないフライトにより堆積物を効率良く掻き寄せることができると共に、貫通孔を有するフライトにより効率良く浮遊物を掻き寄せことができる。よって、浮遊物及び堆積物をより一層効率良く掻き寄せることができる。
【発明の効果】
【００１３】
本発明によれば、浮遊物の掻き寄せ効果を向上できるフライト及び汚泥掻寄機を提供することが可能となる。
【図面の簡単な説明】
【００１４】
【図１】本発明の第１実施形態に係るフライトを備えた汚泥掻寄機を示す概略側面図である。
【図２】図１のII−II線に沿った断面図であり、チェーン及びリターンレールを省略した図である。
【図３】図２のIII−III線に沿った断面図である。
【図４】図２のIV−IV線に沿った断面図である。
【図５】本発明の第２実施形態に係るフライトを示す図であり、図２に対応する図である。
【図６】図５のVI−VI線に沿った断面図である。
【図７】本発明の第３実施形態に係るフライトを示す図であり、図３に対応する図である。
【図８】図７のフライトが槽の底を移動している状態を示す図である。
【発明を実施するための形態】
【００１５】
以下、図面を参照しつつ本発明のフライト及び該フライトを備えた汚泥掻寄機の好適な実施形態について詳細に説明する。なお、同一又は相当要素には、同一の符号を付し、重複する説明は省略する。
【００１６】
（第１実施形態）
図１は、本発明の第１実施形態に係るフライトを備えた汚泥掻寄機を示す概略側面図、図２は、図１のII−II線に沿った断面図である。
【００１７】
図１に示す汚泥掻寄機１００は、いわゆる四軸タイプのチェーンフライト式の汚泥掻寄機であり、槽１の内部に設置される。
【００１８】
槽１は、横長に構成されて図２に示すように幅方向（図２の左右方向）の形状が槽１の底１Ｂで幅狭とされ、それより上方が一定幅で幅広とされた略矩形状とされている。槽１に対しては、図１に示すように、図１の左側から汚水が供給され、槽１の汚水供給側（以下、一方側と呼ぶ）の底部１Ｂには、汚泥収集ピット１Ｃが設けられ、この汚泥収集ピット１Ｃに対して、汚泥を外部に排出するための排出管１Ｄが設けられている。
【００１９】
また、槽１の汚水供給側とは反対側（以下、他方側と呼ぶ）の水面１Ａには、軸周りに回転可能なスカムパイプ９が槽１の幅方向全域に亘って設けられている。このスカムパイプ９は、周面に軸線方向（図１の紙面垂直方向）に延び上方に開口された開口部を備え、横断面形状がＣ字状を成している。そして、スカムパイプ９は水面１Ａに浮遊する浮遊物Ｆを回収すべく、開口部が水面１Ａ下に位置するように適宜図１の反時計回りに回転し、その後戻ることを繰り返す。
【００２０】
汚泥掻寄機１００は、槽１内を長手方向に周回する無端チェーン２を備えており、この無端チェーン２は、槽１の幅方向に対向して一対が設けられている。フライト１０は、無端チェーン２の周回方向に沿って複数が配置され、その両端側が１対の無端チェーン２にそれぞれ掛け渡されて取り付けられている。このフライト１０は、図２に示すように、その幅が槽１の底１Ｂと略同じ幅とされている。
【００２１】
この汚泥掻寄機１００にあっては、図１に示すように、槽１の底１Ｂの他方側（図１の右側）に第１従動軸３が、底１Ｂの一方側（図１の左側）に第２従動軸４が、平行に離間して設けられている。第１従動軸３には、両端に一対の第１スプロケット３Ａがそれぞれ取り付けられ、第２従動軸４には、両端に一対の第２スプロケット４Ａがそれぞれ取り付けられている。
【００２２】
また、汚泥掻寄機１００にあっては、槽１に形成される水面１Ａ下の一方側で第２従動軸４の上方には、駆動軸５が設けられ、駆動軸５より他方側で、槽１の上部の略中央部には、第３従動軸６が設けられている。駆動軸５には、両端に一対の駆動用スプロケット５Ａがそれぞれ取り付けられ、第３従動軸６には、両端に一対の第３スプロケット６Ａがそれぞれ取り付けられている。
【００２３】
無端チェーン２は、第１スプロケット３Ａ、第２スプロケット４Ａ、駆動用スプロケット５Ａ、及び第３スプロケット６Ａに掛け渡される。また、駆動軸５と第３従動軸６との間には、無端チェーン２を槽１の底１Ｂ側から支持し長手方向に案内するための一対のリターンレールＲが、幅方向に対向し水平方向に延在するように設けられ、また、第１従動軸３と第２従動軸４との間で第１従動軸３側には、無端チェーン２を槽１の底１Ｂ側から支持し長手方向に案内するための一対のガイドレールＧが、幅方向に対向し水平方向に延在するように設けられている。
【００２４】
そして、このような構成により、無端チェーン２は、無端チェーン２の一部が水面１Ａに沿うように張設されると共に、無端チェーン２の一部が槽１の底１Ｂに沿うように張設される。駆動軸５は、一対の駆動用スプロケット５Ａを介して一対の無端チェーン２を駆動するためのものであり、駆動用スプロケット５Ａより軸線方向外側の一端に駆動モータ用スプロケット５Ｂが取り付けられている。この駆動軸５の上方には、駆動軸５を回転するためのモータ７が設置されている。そして、モータ７の駆動スプロケット７Ａと駆動軸５のモータ用スプロケット５Ｂとの間には、駆動用チェーン８が掛け渡されている。
【００２５】
次に、本実施形態の特徴を成すフライト１０について、図２から図４を用いて説明する。図３は、図２のIII−III線に沿った断面図、図４は、図２のIV−IV線に沿った断面図である。
【００２６】
図２から図４に示すように、フライト１０は、フライト１０の前面と後面とを貫通する貫通孔１２を少なくとも１個以上備えている。ここでは、貫通孔１２は、フライト１０の幅方向に離間して２か所に形成され、貫通孔１２内に水面１Ａが位置するように構成されている。ここでは、水面１Ａは貫通孔１２の上下方向の略中央に位置している。また、貫通孔１２は、浮遊物Ｆの通過を遮断しつつ水を通過させる大きさに形成されている。
【００２７】
このようなフライト１０を備えた汚泥掻寄機１００によれば、モータ７により駆動用チェーン８とモータ用スプロケット５Ｂとを介して駆動軸５が図１の時計回りに回転し、これにより、無端チェーン２が、スプロケット５Ａ，６Ａ，３Ａ，４Ａの順に構成される軌道を周回し（矢印参照）、フライト１０は、槽１の底１Ｂ及び水面１Ａに沿って移動し、槽１の底１Ｂに堆積した汚泥等の堆積物Ｄを掻き寄せて汚泥収集ピット１Ｃに収集すると共に、水面１Ａに浮遊した浮遊物Ｆを掻き寄せてスカムパイプ９で回収することができる。
【００２８】
ここで、図３に示すように、フライト１０が水面１Ａに沿って移動する際に、フライト１０の進行方向に対して生じる水流Ｗは、フライト１０に設けられた貫通孔１２を通り進行方向下流側へ抜けるように形成される。このため、浮遊物Ｆがフライト１０の両側へ抜けることを防ぐことができ、フライト１０は浮遊物Ｆを効率よく掻き寄せることができる。
【００２９】
（第２実施形態）
図５は、本発明の第２実施形態に係るフライトを示す図であり、図２に対応する図、図６は、図５のVI−VI線に沿った断面図である。
【００３０】
図５及び図６に示すように、この第２実施形態のフライト２０が第１実施形態のフライト１０と違う点は、フライト２０の前面と後面とを貫通する貫通孔２２が、フライト２０が水面１Ａに沿って移動する際に、水面１Ａの下に位置するようにした点である。
【００３１】
ここでは、貫通孔２２の位置を第１実施形態の貫通孔１２より下げることにより水面１Ａ下に位置するようにしている。
【００３２】
このようなフライト２０を備えた汚泥掻寄機１００によれば、図６に示すように、フライト２０が水面１Ａに沿って移動する際に、貫通孔２２が水面１Ａの下に位置しているため、フライト２０の進行方向に対して生じる水流Ｗは、フライト２０の水面１Ａより下に位置する貫通孔２２を通り進行方向下流側へ抜けるように形成される。このため、浮遊物Ｆがフライト２０の貫通孔２２より上の部分に遮られ、フライト２０の両側へ抜けることを防ぐことができ、フライト２０は、浮遊物Ｆをより効率良く掻き寄せることができる。
【００３３】
なお、第２実施形態における貫通孔２２を、第１実施形態のような上下方向略中央に位置する貫通孔１２とし、この貫通孔１２より水面１Ａが上に位置するように水面１Ａを形成しても同様の効果を奏する。
【００３４】
（第３実施形態）
図７は、本発明の第３実施形態に係るフライトを示す図であり、図３に対応する図、図８は、図７のフライトが槽の底を移動している状態を示す図である。
【００３５】
図７及び図８に示すように、この第３実施形態が第１実施形態と違う点は、フライト１０に代えて、水面１Ａに沿って移動する際に貫通孔１２を開放し、底１Ｂに沿って移動する際に貫通孔１２を閉じる開閉機構３５を付設したフライト３０を用いた点である。
【００３６】
開閉機構３５は、フラップ３５ａ、軸３５ｂ、軸受３５ｃ，３５ｃを備え、図７に示すように、軸受３５ｃが、貫通孔１２より下方かつ幅方向の両脇にそれぞれ配置され、平板状のフラップ３５ａと一体化した軸３５ｂを回転自在に支持する。従って、フラップ３５ａは、自重により垂下し、フライト３０が水面１Ａに沿って移動する際に、貫通孔１２を開放するように貫通孔１２より下方に位置する。
【００３７】
このようなフライト３０を備えた汚泥掻寄機１００によれば、図７に示すように、フライト３０が水面１Ａに沿って移動する際には、貫通孔１２が開放され、進行方向に対して形成される水流Ｗは、貫通孔１２を通るように形成される。このため、フライト３０は、浮遊物Ｆがフライト３０の両側へ抜けることを防ぐことができる。一方、図８に示すように、フライト３０が、底１Ｂに沿って移動する際には、自重によりフラップ３５ａが回転し貫通孔１２が閉じられる。このため、フライト３０は、堆積物Ｄが貫通孔１２を通り進行方向下流側へ抜けることを防ぐことができる。よって、開閉機構３５を備えたフライト３０は、浮遊物Ｆ及び堆積物Ｄを効率よく掻き寄せることができる。
【００３８】
なお、第３実施形態における貫通孔１２を第２実施形態のような水面１Ａ下に位置する貫通孔２２とし、貫通孔２２に対して開閉機構３５を付設しても同様の効果を奏する。
【００３９】
以上、本発明のフライト及び該フライトを備えた汚泥掻寄機に係る実施形態について説明したが、本発明は、上記実施形態に限定されない。
【００４０】
例えば、上記実施形態において、貫通孔１２，２２に対して、例えばメッシュ等のように、浮遊物Ｆの通過を遮断しつつ水を通過させる手段を有するようにしてもよい。これによれば、フライト１０，２０，３０が水面を移動する際に、当該手段により、浮遊物Ｆが、フライト１０，２０，３０に設けられた貫通孔１２，２２を通り進行方向下流側へ抜けることを防ぐことができ、浮遊物Ｆをより一層効率よく掻き寄せることができる。
【００４１】
また、例えば、上記実施形態では、フライトに２個の貫通孔が設けられているが、１個でも３個以上でもよく、要は少なくとも１個以上であればよい。
【００４２】
また、例えば、上記実施形態では、開閉機構３５は、自重によりフラップ３５ａが回転し貫通孔１２，２２を開閉する構成であったが、開閉機構を、例えば、自重によりスライド板が垂下し、フライト１０，２０の反転によりスライド板が上下反対方向にスライドし貫通孔１２，２２を開閉する構成としてよい。
【００４３】
また、例えば、上記第１実施形態において、汚泥掻寄機１００は、貫通孔１２を有するフライト１０と、貫通孔１２を有さないフライトとを、両方備えていてもよい。このような構成の汚泥掻寄機１００は、貫通孔１２を有さないフライト１０により堆積物Ｄを効率良く掻き寄せることができると共に、貫通孔１２を有するフライトにより効率良く浮遊物Ｄを掻き寄せことができる。よって、浮遊物及び堆積物をより一層効率良く掻き寄せることができる。なお、上記第２実施施形態及び第３実施形態において、同様に、汚泥掻寄機は、貫通孔を有するフライトと貫通孔を有さないフライトとを、両方備えてもよい。この場合であっても同様な作用・効果を奏する。
【符号の説明】
【００４４】
１…槽、２…無端チェーン、１０，２０，３０…フライト、１２，２２…貫通孔、３５…開閉機構、１００…汚泥掻寄機、１Ａ…水面、１Ｂ…底、Ｄ…堆積物、Ｆ…浮遊物。
【図１】
2014094347.tif 000003
【図２】
2014094347.tif 000004
【図３】
2014094347.tif 000005
【図４】
2014094347.tif 000006
【図５】
2014094347.tif 000007
【図６】
2014094347.tif 000008
【図７】
2014094347.tif 000009
【図８】
2014094347.tif 000010